【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
透液性の表面シートと、不透液性の裏面シートと、前記表面シートと前記裏面シートとの間に腹側部から背側部にかけて介装される吸収体と、を備え、前記背側部の両側方に延出した一対のサイドフラップと、前記サイドフラップに設けられたファスニング部材を係止させるために前記腹側部の前記裏面シートに設けられた被着部と、を有する吸収性物品において、
前記サイドフラップと、前記背側部における前記サイドフラップと前記吸収体の間の少なくとも一方に、前記サイドフラップの延出方向と交差する方向に沿う複数条のスリットと、前記スリットの両端部をそれぞれ囲う略Ｃ字形状の切り込み部とが形成されており、
前記サイドフラップ及び／又は前記背側部は、前記スリットの変形に応じて前記サイドフラップの延出方向への伸縮が可能に構成されることを特徴とする吸収性物品。
【請求項２】
前記腹側部における当該腹側部の両側端部と前記被着部との間に、前記サイドフラップの延出方向と交差する方向に沿う複数条のスリットと、前記スリットの両端部をそれぞれ囲う略Ｃ字形状の切り込み部とが形成されており、
前記腹側部は、前記スリットの変形に応じて前記サイドフラップの延出方向への伸縮が可能に構成されることを特徴とする請求項１に記載の吸収性物品。
【請求項３】
前記サイドフラップは、当該吸収性物品の着用時に人体の腰回り側に位置する第１フラップ部と、人体の脚回り側に位置する第２フラップ部と、を有することを特徴とする請求項１又は２に記載の吸収性物品。
【手続補正２】
【補正対象書類名】明細書
【補正対象項目名】０００６
【補正方法】変更
【補正の内容】
【０００６】
以上の課題を解決するため、請求項１に記載の発明は、
透液性の表面シートと、不透液性の裏面シートと、前記表面シートと前記裏面シートとの間に腹側部から背側部にかけて介装される吸収体と、を備え、前記背側部の両側方に延出した一対のサイドフラップと、前記サイドフラップに設けられたファスニング部材を係止させるために前記腹側部の前記裏面シートに設けられた被着部と、を有する吸収性物品において、
前記サイドフラップと、前記背側部における前記サイドフラップと前記吸収体の間の少なくとも一方に、前記サイドフラップの延出方向と交差する方向に沿う複数条のスリットと、前記スリットの両端部をそれぞれ囲う略Ｃ字形状の切り込み部とが形成されており、
前記サイドフラップ及び／又は前記背側部は、前記スリットの変形に応じて前記サイドフラップの延出方向への伸縮が可能に構成されることを特徴とする。
【手続補正３】
【補正対象書類名】明細書
【補正対象項目名】０００７
【補正方法】変更
【補正の内容】
【０００７】
請求項２に記載の発明は、請求項１に記載の吸収性物品において、
前記腹側部における当該腹側部の両側端部と前記被着部との間に、前記サイドフラップの延出方向と交差する方向に沿う複数条のスリットと、前記スリットの両端部をそれぞれ囲う略Ｃ字形状の切り込み部とが形成されており、
前記腹側部は、前記スリットの変形に応じて前記サイドフラップの延出方向への伸縮が可能に構成されることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
請求項３に記載の発明は、請求項１又は２に記載の吸収性物品において、
前記サイドフラップは、当該吸収性物品の着用時に人体の腰回り側に位置する第１フラップ部と、人体の脚回り側に位置する第２フラップ部と、を有することを特徴とする。
【手続補正８】
【補正対象書類名】明細書
【補正対象項目名】００１２
【補正方法】変更
【補正の内容】
【００１２】
請求項１に記載の発明によれば、吸収性物品におけるサイドフラップと、吸収性物品の背側部におけるサイドフラップと吸収体の間の少なくとも一方に、サイドフラップの延出方向と交差する方向に沿う複数条のスリットが形成されている。
そして、そのスリットが形成されているサイドフラップ及び／又は背側部は、スリットの変形に応じてサイドフラップの延出方向へ伸縮することができるので、吸収性物品のサイドフラップのファスニング部材を被着部に係止するようにして、その吸収性物品を人体に着用した際に、姿勢を変えたり呼吸したりすることなどによって人体の腹が膨らんだ場合に、その膨らみに応じてサイドフラップや背側部がサイドフラップの延出方向へ伸びることによって、その締め付けが軽減される。また、膨らんだ腹が元に戻ると、サイドフラップや背側部はその原形を回復するように縮み、人体にフィットする。
具体的に、スリットはスリットの長手方向と交差する方向に開口を広げるように開くことができるので、スリットである開口が施された部分は、そのスリットの開口が開かれることによってサイドフラップの延出方向に伸びることができる。また、スリットである開口が施された部分は、そのスリットの開口が閉じられるように復元されるようにして、その原形を回復するように縮むことができる。従って、吸収性物品は、複数条のスリットの変形に応じて伸縮することによって、好適に人体にフィットするので、好適に着用することが可能になる。
よって、この吸収性物品は、装着感に優れ、より好適に着用することができるものである。
特に、吸収性物品におけるスリットに対し、そのスリットの両端部をそれぞれ囲うように略Ｃ字形状の切り込み部が形成されているので、そのスリットの開口がスリットの長手方向に沿って、スリットの端部から長く引き裂かれることを低減することができる。
つまり、略Ｃ字形状の切り込み部が、スリットの長手方向の延長線上である両端部側に形成されていると、スリットがそのスリットに沿って引き裂かれてしまった場合に、切り込み部の部分でその裂ける勢いが分散されて軽減されることとなって、その破れが止まるので、サイドフラップや、背側部や腹側部の損傷を抑えることができる。
【手続補正９】
【補正対象書類名】明細書
【補正対象項目名】００１３
【補正方法】変更
【補正の内容】
【００１３】
請求項２に記載の発明によれば、請求項１に記載の発明と同様の効果が得られることは無論のこと、吸収性物品の腹側部における当該腹側部の両側端部と被着部との間に、サイドフラップの延出方向と交差する方向に沿う複数条のスリットが形成されている。
そして、そのスリットが形成されている腹側部は、スリットの変形に応じてサイドフラップの延出方向へ伸縮することができるので、吸収性物品のサイドフラップのファスニング部材を被着部に係止するようにして、その吸収性物品を人体に着用した際に、姿勢を変えたり呼吸したりすることなどによって人体の腹が膨らんだ場合に、その膨らみに応じて腹側部がサイドフラップの延出方向へ伸びることによって、その締め付けが軽減される。また、膨らんだ腹が元に戻ると、腹側部はその原形を回復するように縮み、人体にフィットする。
具体的に、スリットはスリットの長手方向と交差する方向に開口を広げるように開くことができるので、スリットである開口が施された部分は、そのスリットの開口が開かれることによってサイドフラップの延出方向に伸びることができる。また、スリットである開口が施された部分は、そのスリットの開口が閉じられるように復元されるようにして、その原形を回復するように縮むことができる。従って、吸収性物品は、複数条のスリットの変形に応じて伸縮することによって、好適に人体にフィットするので、好適に着用することが可能になる。
よって、この吸収性物品は、装着感に優れ、より好適に着用することができるものである。
特に、吸収性物品におけるスリットに対し、そのスリットの両端部をそれぞれ囲うように略Ｃ字形状の切り込み部が形成されているので、そのスリットの開口がスリットの長手方向に沿って、スリットの端部から長く引き裂かれることを低減することができる。
つまり、略Ｃ字形状の切り込み部が、スリットの長手方向の延長線上である両端部側に形成されていると、スリットがそのスリットに沿って引き裂かれてしまった場合に、切り込み部の部分でその裂ける勢いが分散されて軽減されることとなって、その破れが止まるので、サイドフラップや、背側部や腹側部の損傷を抑えることができる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】変更
【補正の内容】
【００１７】
請求項３に記載の発明によれば、請求項１又は２に記載の発明と同様の効果が得られることは無論のこと、吸収性物品におけるサイドフラップは、吸収性物品の着用時に人体の腰回り側に位置する第１フラップ部と、人体の脚回り側に位置する第２フラップ部と、を有するので、吸収性物品を人体により好適に装着することが可能になる。
つまり、第１フラップ部によって、吸収性物品を人体の腰回り側に締め付け、第２フラップ部によって、吸収性物品を人体の脚周り側に締め付けることができる。
特に、第２フラップ部を人体の腰周り側に引き上げるように被着部に取り付け、第１フラップ部を人体の脚周り側に引き下げるように被着部に取り付けることによって、吸収性物品を人体によりフィットさせ装着することができるので、吸収性物品をより好適に着用することができる。